(57)【要約】【課題】  配管・配線用スリーブとそれを用いた壁の貫通部構造において、壁の貫通部内に設けた筒部の内面に屋外から屋内に向けて上り勾配となる防水用勾配を付与しながら、筒部に螺着したキャップのねじの露出を回避し、意匠性を向上すること。【解決手段】  配管・配線用スリーブ１０であって、鍔部１２Ａ、１２Ｂの壁Ｗと反対側の面が、筒部１１の軸芯ｃと直交するようにされ、一方の鍔部１２Ａにおいては、上部の厚みｔ1が、下部の厚みｔ2より大きくされ、他方の鍔部１２Ｂにおいては、上部の厚みｕ1が、下部の厚みｕ2より小さくされていると共に、筒部１１の両端内面にはキャップ２０Ａ、２０Ｂを筒部１１の軸芯（ｃ）方向に螺着するための螺子溝ｅa、ｅbが形成されてなるもの。【選択図】  図６
2014141996.tif 000002
【特許請求の範囲】
【請求項１】
壁の貫通部内に設けられる筒部と、その両端に設けられて壁の両面それぞれに接する２つの鍔部とからなる配管・配線用スリーブであって、
鍔部の壁と反対側の面が、筒部の軸芯と直交するようにされ、
一方の鍔部においては、上部の厚みが、下部の厚みより大きくされ、
他方の鍔部においては、上部の厚みが、下部の厚みより小さくされていると共に、
筒部の少なくとも一端の内面にはキャップを筒部の軸芯方向に螺着するための螺子溝が形成されていることを特徴とする配管・配線用スリーブ。
【請求項２】
筒部の軸方向の中間にて分割された２つの部材からなることを特徴とする請求項１に記載の配管・配線用スリーブ。
【請求項３】
請求項１又は請求項２に記載の配管・配線用スリーブを用いた壁の貫通部構造であって、
前記壁は屋外と屋内を仕切る外壁であり、
前記一方の鍔部が壁の屋外側に配置され、
前記他方の鍔部が壁の屋外側に配置されていることを特徴とする壁の貫通部構造。
【発明の詳細な説明】
【技術分野】
【０００１】
本発明は配管・配線用スリーブとそれを用いた壁の貫通部構造に関する。
【背景技術】
【０００２】
建物の壁を貫通して配管、配線を行なうための配管・配線用スリーブとして、特許文献１に記載の如く、壁の貫通部内に設けられる筒部と、その両端に設けられて壁の両面それぞれに接する２つの鍔部とからなるものがある。
【０００３】
従来の配管・配線用スリーブ１は、図７に示す如く、雨水がスリーブ１と通じて屋外から屋内に侵入するのを防止するため、壁Ｗの貫通部内に設けた筒部２の内面に屋外から屋内に向けて上り勾配となる防水用勾配を付与している。このため、鍔部３の面（壁Ｗと接する面及びその反対側の面）が、筒部２の軸芯ｃと直交せずに傾いた構成になる。
【先行技術文献】
【特許文献】
【０００４】
【特許文献１】特開2005-90684
【発明の概要】
【発明が解決しようとする課題】
【０００５】
ところで、配管・配線用スリーブ１では、スリーブ１を使用しないとき（スリーブ１に配管、配線を通さないとき）、このスリーブ１を通じてのエネルギーロスや、有害物質の侵入を防止するために、筒部２の端部内面にキャップ４を設けることが一般的である。キャップ４は、筒部２への固定の確実性や気密性を考慮して、筒部２に雌ねじ、キャップ４に雄ねじを施した螺着構造とするものが多い。
【０００６】
特許文献１に記載の配管・配線用スリーブ１の筒部２にキャップ４を螺着する方式を採用すると、筒部２の軸芯ｃと鍔部３の面（壁Ｗと反対側の面）とが直交せず、互いに傾いた構造になる。キャップ４を筒部２に螺着したとき、キャップ４のねじが一部露出してしまい、意匠性を損なう。
【０００７】
本発明の課題は、配管・配線用スリーブとそれを用いた壁の貫通部構造において、壁の貫通部内に設けた筒部の内面に屋外から屋内に向けて上り勾配となる防水用勾配を付与しながら、筒部に螺着したキャップのねじの露出を回避し、意匠性を向上することにある。
【課題を解決するための手段】
【０００８】
請求項１に係る発明は、壁の貫通部内に設けられる筒部と、その両端に設けられて壁の両面それぞれに接する２つの鍔部とからなる配管・配線用スリーブであって、鍔部の壁と反対側の面が、筒部の軸芯と直交するようにされ、一方の鍔部においては、上部の厚みが、下部の厚みより大きくされ、他方の鍔部においては、上部の厚みが、下部の厚みより小さくされていると共に、筒部の少なくとも一端の内面にはキャップを筒部の軸芯方向に螺着するための螺子溝が形成されているようにしたものである。
【０００９】
請求項２に係る発明は、請求項１に係る発明において更に、筒部の軸方向の中間にて分割された２つの部材からなるようにしたものである。
【００１０】
請求項３に係る発明は、請求項１又は請求項２に記載の配管・配線用スリーブを用いた壁の貫通部構造であって、前記壁は屋外と屋内を仕切る外壁であり、前記一方の鍔部が壁の屋外側に配置され、前記他方の鍔部が壁の屋外側に配置されているようにしたものである。
【発明の効果】
【００１１】
（請求項１）
(a)壁の貫通部内に設けた筒部の内面に屋外から屋内に向けて上り勾配となる防水用勾配を付与しながら、鍔部を壁に当接させた配管・配線用スリーブの壁への取付状態で、鍔部の壁と反対側の面が筒部の軸芯と直交するものとされる。そして、一方の鍔部においては、上部の厚みが、下部の厚みより大きくされ、他方の鍔部においては、上部の厚みが、下部の厚みより小さくされていると共に、筒部の少なくとも一端の内面にはキャップを筒部の軸芯方向に螺着するための螺子溝が形成される。このため、筒部の端部内面にて該筒部の軸芯方向に螺着したキャップは、鍔部の壁と反対側の面に全周隙間なく接するものになり、結果としてキャップのねじの露出を回避し、意匠性を向上するものになる。
【００１２】
（請求項２）
(b)スリーブが鍔部の軸方向の中間にて分割された２つの部材からなるものとすることにより、両部材の各鍔部を壁の両面のそれぞれに簡易に接するように設けることができる。
【００１３】
（請求項３）
(c)外壁を貫通する配管・配線用スリーブにおいて、スリーブを通じての屋外から屋内への雨水の侵入を防止しつつ、上述(a)、(b)を実現できる。
【図面の簡単な説明】
【００１４】
【図１】図１は配管・配線用スリーブの一例において壁を破断して示す側面図である。
【図２】図２は壁に取付けた配管・配線用スリーブを示す断面図である。
【図３】図３は配管・配線用スリーブを分解して示す斜視図である。
【図４】図４は屋外側部材を示し、（Ａ）は側面図、（Ｂ）は正面図、（Ｃ）は断面図である。
【図５】図５は屋内側部材を示し、（Ａ）は側面図、（Ｂ）は正面図、（Ｃ）は断面図である。
【図６】図６は配管・配線用スリーブを示す模式断面図である。
【図７】図７は従来の配管・配線用スリーブを示す模式断面図である。
【発明を実施するための形態】
【００１５】
図１、図２において、Ｗは建物の屋外と屋内を仕切る外壁を示す。配管・配線用スリーブ１０は、図１〜図３に示す如く、壁Ｗの屋外側と屋内側の各貫通部Ｈa、Ｈb内に設けられる円筒状の筒部１１と、その両端に設けられて壁Ｗの屋外側と屋内側の両面のそれぞれに接する２つの鍔部１２Ａ、１２Ｂとからなる。
【００１６】
ここで、スリーブ１０は、筒部１１の軸方向の中間にて分割された２つの部材１０Ａ、１０Ｂからなる。一方の部材１０Ａは、図４に示す如く、屋外側部材として、壁Ｗの屋内側の貫通部Ｈaに挿入される円筒状の筒部１１Ａと、壁Ｗの屋内側に配置される鍔部１２Ａとを有するとともに、筒部１１Ａの内面の軸方向中間部における周方向３等配位置にねじ孔１３Ａを備える。他方の部材１０Ｂは、図５に示す如く、屋内側部材として、壁Ｗの屋内側の貫通部Ｈbに挿入される円筒状の筒部１１Ｂと、壁Ｗの屋内側に配置される鍔部１２Ｂとを有するとともに、筒部１１Ｂの内面の軸方向中間部における周方向３等配位置にボルト挿通孔１３Ｂを備える。
【００１７】
スリーブ１０は、屋外側部材１０Ａの筒部１１Ａを壁Ｗの屋外側の貫通部Ｈaに挿入し、鍔部１２Ａを壁Ｗの屋外側に配置するとともに、屋内側部材１０Ｂの筒部１１Ｂを壁Ｗの屋内側の貫通部Ｈbに挿入し、鍔部１２Ｂを壁Ｗの屋内側に配置した状態で、３本のボルト１４のそれぞれを、屋内側部材１０Ｂの筒部１１Ｂに備えたボルト挿通孔１３Ｂに挿通し、その挿通端を屋外側部材１０Ａの筒部１１Ａに備えたねじ孔１３Ａに締結することにて壁Ｗに固定的に取付けられる。屋外側部材１０Ａの鍔部１２Ａは壁Ｗの屋外に臨む面にシール部材Ｓを介して液密に密着し、屋内側部材１０Ｂの鍔部１２Ｂは壁Ｗの屋内に臨む面に密着するものになる。
【００１８】
このとき、筒部１１を構成するそれらの筒部１１Ａ、１１Ｂの同一軸芯ｃが、水平に対して屋内側に向けて上り勾配をなすように配置し、結果として筒部１１の内面に屋外から屋内に向けて上り勾配となる防水用勾配を付与する。
【００１９】
また、スリーブ１０（部材１０Ａ、１０Ｂ）は、筒部１１（筒部１１Ａ、１１Ｂ）の内部に配管、配線を通さない不使用時に、この筒部１１（筒部１１Ａ、１１Ｂ）を通じてのエネルギーロスや、有害物質の侵入を防止するために、屋外側部材１０Ａと屋内側部材１０Ｂの各筒部１１Ａ、１１Ｂの端部内面のそれぞれにキャップ２０Ａ、２０Ｂを設ける。キャップ２０Ａ、２０Ｂは、筒部１１Ａ、１１Ｂへの固定の確実性や気密性を考慮して、筒部１１Ａ、１１Ｂの端部内面に雌ねじｅa、ｅb（図４、図５）、キャップ２０Ａ、２０Ｂの外周に雄ねじｆa、ｆb（図１）を施した螺着構造とされている。
【００２０】
しかるに、スリーブ１０（部材１０Ａ、１０Ｂ）にあっては、壁Ｗの貫通部Ｈa、Ｈb内に設けた筒部１１（筒部１１Ａ、１１Ｂ）の内面に屋外から屋内に向けて上り勾配となる防水用勾配を付与しながら、それらの筒部１１Ａ、１１Ｂに螺着したキャップ２０Ａ、２０Ｂのねじｆa、ｆbの露出を回避し、意匠性を向上可能にするため、図１、図２、及びその寸法位置関係を誇張して示した図６に示す如く、以下の構成を具備する。
【００２１】
即ち、屋外側部材１０Ａの鍔部１２Ａ、及び屋内側部材１０Ｂの鍔部１２Ｂのそれぞれにおいて、壁Ｗと反対側の面が筒部１１（筒部１１Ａ、１１Ｂ）の軸芯ｃと直交するように形成される。
【００２２】
更に、屋外側部材１０Ａの鍔部１２Ａにおいては、上部の厚みｔ1が下部の厚みｔ2より大きくされるように、その厚みを該鍔部１２Ａの周方向で連続的に変化させている。また、屋内側部材１０Ｂの鍔部１２Ｂにおいては、上部の厚みｕ1が下部の厚みｕ2より小さくされるように、その厚みを該鍔部１２Ｂの周方向で連続的に変化させている。
【００２３】
そして、屋外側部材１０Ａと屋内側部材１０Ｂの筒部１１（筒部１１Ａ、１１Ｂ）の両端内面のそれぞれに、キャップ２０Ａ、２０Ｂをそれらの筒部１１Ａ、１１Ｂの軸芯（ｃ）方向に螺着するための螺子溝として、前述の雌ねじｅa、ｅbが形成されている。
【００２４】
従って、スリーブ１０によれば、以下の作用効果がある。
(a)壁Ｗの貫通部Ｈa、Ｈb内に設けた筒部１１（１１Ａ、１１Ｂ）の内面に屋外から屋内に向けて上り勾配となる防水用勾配を付与しながら、鍔部を壁Ｗに当接させた配管・配線用スリーブ１０の壁Ｗへの取付状態で、鍔部の壁Ｗと反対側の面が筒部１１（１１Ａ、１１Ｂ）の軸芯ｃと直交するものとされる。そして、一方の鍔部１２Ａにおいては、上部の厚みｔ1が下部の厚みｔ2より大きくされ、他方の鍔部１２Ｂにおいては、上部の厚みｕ1が下部の厚みｕ2より小さくされる。このため、筒部１１（１１Ａ、１１Ｂ）の両端内面にて該筒部１１（１１Ａ、１１Ｂ）の軸芯（ｃ）方向に螺着したキャップ２０Ａ、２０Ｂは、鍔部の壁Ｗと反対側の面に全周隙間なく接するものになり、結果としてキャップ２０Ａ、２０Ｂのねじｆa、ｆbの露出を回避し、意匠性を向上するものになる。
【００２５】
(b)スリーブ１０が鍔部の軸方向の中間にて分割された２つの部材１０Ａ、１０Ｂからなるものとすることにより、両部材１０Ａ、１０Ｂの各鍔部１２Ａ、１２Ｂを壁Ｗの両面のそれぞれに簡易に接するように設けることができる。
【００２６】
(c)外壁Ｗを貫通する配管・配線用スリーブ１０において、スリーブ１０を通じての屋外から屋内への雨水の侵入を防止しつつ、上述(a)、(b)を実現できる。
【００２７】
尚、スリーブ１０の具体的寸法例を示せば、鍔部１２Ａ、１２Ｂの外周直径を118mmとし、ｔ1＝8mm、ｔ2＝6mm、ｕ1＝4mm、ｕ2＝6mmとするとき、筒部１１（１１Ａ、１１Ｂ）の内面に約1/50の防水用勾配が付される。
【００２８】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００２９】
本発明は、壁の貫通部内に設けられる筒部と、その両端に設けられて壁の両面それぞれに接する２つの鍔部とからなる配管・配線用スリーブであって、鍔部の壁と反対側の面が、筒部の軸芯と直交するようにされ、一方の鍔部においては、上部の厚みが、下部の厚みより大きくされ、他方の鍔部においては、上部の厚みが、下部の厚みより小さくされていると共に、筒部の少なくとも一端の内面にはキャップを筒部の軸芯方向に螺着するための螺子溝が形成されるものとした。これにより、配管・配線用スリーブとそれを用いた壁の貫通部構造において、壁の貫通部内に設けた筒部の内面に屋外から屋内に向けて上り勾配となる防水用勾配を付与しながら、筒部に螺着したキャップのねじの露出を回避し、意匠性を向上することができる。
【符号の説明】
【００３０】
１０  配管・配線用スリーブ
１０Ａ、１０Ｂ  部材
１１、１１Ａ、１１Ｂ  筒部
１２Ａ、１２Ｂ  鍔部
２０Ａ、２０Ｂ  キャップ
Ｗ  外壁
Ｈa、Ｈb  貫通部
ｅa、ｅb  雌ねじ（螺子溝）
ｆa、ｆb  雄ねじ
【図１】
2014141996.tif 000003
【図２】
2014141996.tif 000004
【図３】
2014141996.tif 000005
【図４】
2014141996.tif 000006
【図５】
2014141996.tif 000007
【図６】
2014141996.tif 000008
【図７】
2014141996.tif 000009